(57)【要約】【課題】容器本体内の流動体を必要に応じ必要量を流出させることができるとともに、キャップ側を下にして立てた状態で容器本体を安定して置くようにすることができ、さらに構成も簡単にすることができる。【解決手段】流動体を収容する容器本体７の口部７ａを下方にして、容器本体７を支持する倒立支持台２と、該倒立支持台２には、容器本体７の流動体を収納する収納凹部５と、該収納凹部５内の流動体を前記倒立支持台２の外部へ流出させるための内容液流出通路３とを有し、前記倒立支持台２には、前記内容液流出通路３から流出する流動体の流量を制御するための弁体４が設けられている。【選択図】　　　図３
2004075167.tif 000002
【特許請求の範囲】
【請求項１】
流動体を収容する容器本体（７）の口部（７ａ）を下方にして、容器本体（７）を支持する倒立支持台（２）と、
該倒立支持台（２）には、容器本体（７）の流動体を収納する収納凹部（５）と、該収納凹部（５）内の流動体を前記倒立支持台（２）の外部へ流出させるための内容液流出通路（３）とを有し、
前記倒立支持台（２）には、前記内容液流出通路（３）から流出する流動体の流量を制御するための弁体（４）が設けられていることを特徴とする倒立支持可能な弁体付きキャップ。
【請求項２】
前記収納凹部（５）の上部内周面には、前記容器本体（７）の口部（７ａ）の外周面に設けた雄ねじ部（７ｂ）に螺合装着させるための雌ねじ部（８）を有することを特徴とする請求項１に記載の倒立支持可能な弁体付きキャップ。
【請求項３】
前記雌ねじ部（８）が形成されている前記内周面の一部分に、外部と収納凹部（５）内を連通する空気孔（９）が形成されていることを特徴とする請求項１又は２に記載の倒立支持可能な弁体付きキャップ。
【請求項４】
前記倒立支持台（２）の収納凹部（５）の底面は、前記内容液流出通路（３）に向かう下り勾配傾斜面（５ａ，５ｂ）とされていることを特徴とする請求項１〜３のいずれかに記載の倒立支持可能な弁体付きキャップ。
【請求項５】
前記倒立支持台（２）の下部に、径外方に突出する偏平円錐台形状の台座（６）が設けられていることを特徴とする請求項１〜４のいずれかに記載の倒立支持可能な弁体付きキャップ。
【請求項６】
前記内容液流出通路（３）、及び前記弁体（４）は、前記倒立支持台（２）に複数設けられていることを特徴とする請求項１〜５のいずれかに記載の倒立支持可能な弁体付きキャップ。
【発明の詳細な説明】
【０００１】
【発明の属する技術分野】
本発明は、倒立支持可能な弁体付きキャップ（以下弁体付きキャップという）に関するものである。
【０００２】
【従来の技術】
紙パックのり付け等、各種の製造ラインにおいて、接着剤を自動塗布する工程があり、そのような工程においては、接着剤容器から接着剤を接着剤貯留トレイに移し替えていた。
しかし、この移し替え作業は、接着剤が流動体である為、接着剤容器の口部を下にして接着剤を直ちに吐出させるのに時間がかかる上、トレイ内の接着剤の量を目視しながら行うものであり、生産性が悪かった。
【０００３】
そこで、使用時にキャップを外し内容物を直ちに吐出させるために、キャップ側を下にして立てた状態で置くようにした容器を提案したものとして、特開平６−８９５１公報に記載のものがある。
また、接着剤をトレイ内に注入するに当たり、所定量注入したところで注入を停止できる装置を提案したものとして、実公昭５７−４３８００公報、特開平１０−２５８８５２公報に記載のものがある。
【０００４】
【発明が解決しようとする課題】
しかしながら、上記公報、すなわち特開平６−８９５１公報については、内容液を直接キャップから流出するための通路がなく、かつ流量を制御する為の弁体がない。そのため、接着剤をトレイ内に注入するに当たり、所定量注入したところで注入を停止できないことにより、トレイ内の接着剤の量を目視しながら行わなければならないという問題点を有している。
また、上記公報、すなわち実公昭５７−４３８００公報については、キャップ側を下にして立てた状態で置くようにすることができない。接着剤容器の口部を下にして接着剤を直ちに吐出させるため、容器をスタンドで懸架したうえで、キャップを容器に嵌めこんで使用する。これにより、使用者は、煩雑な動作をしなければならないという問題点を有している。
【０００５】
さらに、上記公報、すなわち特開平１０−２５８８５２公報については、容器の液体を流出制御させるために構成されている部材として、可動プッシュポイント，棹，弾性体チューブ，バネ，支点，固定板等からなり、複雑な構成であるという観点からも問題点を有している。
本発明は、上記事情に鑑みてなされたものであり、容器本体内の流動体を必要に応じ必要量を流出させることができるとともに、キャップ側を下にして立てた状態で容器本体を安定して置くようにすることができ、さらに構成も簡単な弁体付きキャップを提供することを目的とする。
【０００６】
【課題を解決するための手段】
上記目的を達成するために、本発明は次の手段を講じた。
即ち、本発明の特徴とするところは、流動体を収容する容器本体の口部を下方にして、容器本体を支持する倒立支持台と、該倒立支持台には、容器本体の流動体を収納する収納凹部と、該収納凹部内の流動体を前記倒立支持台の外部へ流出させるための内容液流出通路とを有し、前記倒立支持台には、前記内容液流出通路から流出する流動体の流量を制御するための弁体が設けられている点である。
【０００７】
前記収納凹部の上部内周面には、前記容器本体の口部の外周面に設けた雄ねじ部に螺合装着させるための雌ねじ部を有する。
前記雌ねじ部が形成されている前記内周面の一部分に、外部と収納凹部内を連通する空気孔が形成されている。
また、前記倒立支持台の収納凹部の底面は、前記内容液流出通路に向かう下り勾配傾斜面とされている。
また、前記倒立支持台の下部に、径外方に突出する偏平円錐台形状の台座が設けられている。
【０００８】
更に、前記内容液流出通路、及び前記弁体は、前記倒立支持台に複数設けても良い。
【０００９】
【発明の実施の形態】
以下、本発明を図示の実施の形態に従って説明する。
図１〜図７は、本発明に係る弁体付きキャップの実施形態を示している。
図１に示すように、容器本体７は、流動体を充填収容するものである。この容器本体７は、硬質合成樹脂，金属等であることが望ましいが、これに限定されるものではない。この容器本体７は、吊り手７ｄで持ち運びできるようになっている。その容器本体７の口部７ａに皿状のキャップ７ｃが螺合されており、この状態で通常市販されている。この市販されているものでは、容器本体７内の流動体を流出（排出）させるには、いったんキャップ７ｃを外さなければならない。そこで、図１のような、キャップ７ｃに代え、図１の仮想線で示したように、特殊な構成の本発明に係る弁体付きキャップ１を提案した。
【００１０】
本発明に係る弁体付きキャップ１は、図２においてその正面から見て示したように、倒立支持台２と、該倒立支持台２の内部即ち容器本体７の流動体を収納する収納凹部５から外部に突出連通される内容液流出通路３と、該内容液流出通路３の近傍に取り付けられる弁体４とを有する。この場合、前記倒立支持台２は合成樹脂製でも金属製等でも良く、また弁体４は倒立支持台２の外部に位置して設けられている。
前記倒立支持台２は円筒状に形成されている。該倒立支持台２の円筒状上部には、切欠による収納凹部５が形成されている。
【００１１】
そして、収納凹部５の内周面には、流動体を収容する容器本体７における口部７ａの外周面の一部に設けた雄ねじ部７ｂ（図１参照）に対し螺合装着されるための雌ねじ部８を有している。雌ねじ部８と雄ねじ部７ｂの螺合装着の際、雌ねじ部８の谷部側と雄ねじ部７ｂの頂部側との間に空気を通す為の僅かな空間８ａが設けられている（図６参照）。前記収納凹部５の下部には、前記内容液流出通路の口部３ａが複数（ここでは２つ）設けられている（図２〜図４参照）。前記収納凹部５の内部底面には、複数（ここでは２つ）からなる前記内容液流出通路の口部３ａに向かって下り勾配傾斜面５ａ，５ｂが形成されている（図５参照）。
【００１２】
前記雌ねじ部８には、内周面の一部分に、収納凹部５内と弁体付きキャップ１の外部とを連通するための少なくとも１個の空気孔９が設けられている。つまり、図５に示すように、外部から空気を取り入れるために、倒立支持台２の上面側の口部９ａから雌ねじ部８の溝側の口部９ｂまで、切欠により空気孔９が形成されている。次に図１に示すように、弁体付きキャップ１を反転して容器本体７の上部から螺合することにより、両者を一体化して流動体が外部に漏れないように仮に螺合する。この際、容器本体７の口部７ａと、弁体付きキャップ１とが、螺合により完全密着されているので（図６（ａ）参照）、収納凹部５内と弁体付きキャップ１の外部との連通を断絶するように構成されている。即ち、前記弁体付きキャップ１の上面側の空気孔９の口部９ａは、容器本体７の口部７ａの外径よりも内径側に、位置するように形成されている。
【００１３】
次に、図２〜図５に示すように、台座６は、倒立支持台２の径外方に一体突設され、かつ、台座６の径の大きさは、倒立支持台２の径外方に向かって大きくなるように形成された偏平円錐台形状とされている。
更に、内容液流出通路３は、倒立支持台２の下部を貫通して設けられ、該倒立支持台２の内部側に設けられた内容液流入通路の流入口部３ａから該倒立支持台２の外部側へ向かう内容液流出通路の流出口３ｂを介して外部に連通され、複数（ここでは２つ）設けられている。この内容液流出通路３は、流入口部３ａ側から外部の流出口３ｂ側に向かい下り勾配となるように構成されている。そして、流出口３ｂの外周面には、弾性体のホース１０が嵌着できるように複数個の抜け止め部が形成されている。
【００１４】
弁体４は、図４に示すように、倒立支持台の２の外部にあって、９０°回転させて開閉する弁体即ちコック４ａが内容液流出通路３に設けられている。
上記実施形態によれば、９０°回転させて開閉するコック４ａを設けることによって、容器本体７の流動体の流量を容易に制御することができる。つまり、コック４ａを調節することで、内容液流出通路３を全開から全閉まで調節することが可能になる。これにより、容器本体７内の流動体を必要に応じ必要量を流出させることが可能になる。また、容器本体７内の流動体を流出制御させるための構成部材は、コック４ａのみである為、構成も簡単である。
【００１５】
台座６の径の大きさを、倒立支持台２の径外方に向かって大きくなるように形成することで、容器本体７の大きさ，容器本体７及び流動体の重量に関わらず、弁体付きキャップ１側を下にして、容器本体７を反転した状態で安定して置くようにすることができる（図３参照）。
なお、内容液流出通路３を複数（ここでは２つ）設けることにより、その１つを接着剤等の流動体を自動塗布する工程に利用しているときに（図７参照）、他の１つは他の用途に（図示省略）接着剤を塗布するために利用が可能になる。
【００１６】
収納凹部５内と外部とを連通する空気孔９を設けることにより、容器本体７内の流動体が効率よく外部に流出できる設定になる。即ち、まず、容器本体７の口部７ａと倒立支持可能な弁体付きキャップ１との完全密着を解除（図６（ｂ）参照）する。次に、上面側の口部９ａから空気が入り込む（図４〜図６参照）。そして、空気が溝側の口部９ｂを通過する（図４〜図６参照）。さらに、雌ねじ部８の谷部側と雄ねじ部７ｂの頂部側との間に空気を通す為の僅かな空間８ａを、空気が通過する（図６参照）。これらにより、弁体付きキャップ１の外部と収納凹部５との間を、空気が通過し、容器本体７内の圧力と弁体付きキャップ１の外部との圧力差が是正される。空間８ａの大きさを雌ねじ部８の深さに対し僅かに設定したのは、液の逆流を防ぐのに適した空間であるからである。しかしながら、前記空気孔９の大きさは前記のものに限定されることなく、例えば容器本体７底部付近等に栓等を利用して設けられてもよい。
【００１７】
収納凹部５の底面を内容液流入通路の口部３ａに向かって下り勾配斜面５ａ，５ｂとすることで、収納凹部５内にある流動体を内容液流出通路３に効率よく集めることが可能になる。
内容液流出通路３を内容液流入通路の口部３ａ側から内容液流出通路の流出口３ｂの外部側に向かい下り勾配とすることで、内容液流出通路３内の流動体が内容液流出通路の流出口３ｂの外部側に効率よく流出できるようにしてある。
次に本発明の図３に示す状態の使用状態の１例を図７に示す。同図において、弁体付きキャップ１側を下にした（即ち容器本体７を反転状態にする。）うえで、弁体付きキャップ１を載置台１１上に倒立支持可能に載置し、流動体貯留トレイ１２に弾性体のホース１０を介して流動体を所定量注入するには、次のようにする。まず、図７に示すように、コック４ａが全閉状態であるという位置を確認する。次に、コック４ａを開き、その開度に応じて流動体を所定量注入する。これにより、流動体貯留トレイ１２に流動体を所定量注入することで、図７に示すように、流動体貯留トレイ１２に存在する流動体がローラー１３に表面塗着される。ローラー１３に塗着された流動体が、適宜図示省略のワークに対し、転写塗布される。
【００１８】
【発明の効果】
本発明に係る倒立支持可能な弁体付きキャップよれば、容器本体内の流動体を必要に応じ必要量を流出させることができるとともに、倒立支持可能な弁体付きキャップ側を下にして容器本体を立てた状態で安定して使用することができ、さらに構成も簡単にすることができる。
【図面の簡単な説明】
【図１】図１は、通常市販されている状態における容器本体と、同本体からキャップを取り外した状態を示す正面図である（なお、仮想線で図示したものは、本発明に係る倒立支持可能な弁体付きキャップを反転して示した正面図である。）。
【図２】図２は、本発明に係る倒立支持可能な弁体付きキャップの実施形態を示す斜視図である。
【図３】図３は、同倒立支持可能な弁体付きキャップを容器本体の口部に螺合装着し、本発明の使用状態の正面図である。
【図４】図４は、図２の平面図である。
【図５】図５は、図４のＡ−Ａ線拡大断面図である。
【図６】図６は、図５のＢ領域における部分拡大図である。
【図７】図７は、同倒立支持可能な弁体付きキャップを容器本体の口部に螺合装着し、接着剤を自動塗布する工程に組み込んだ状態を示す説明図である。
【符号の説明】
１　　倒立支持可能な弁体付きキャップ
２　　倒立支持台
３　　内容液流出通路
３ａ　流入口部
３ｂ　流出口
４　　弁体
４ａ　コック
５　　収納凹部
５ａ　下り勾配傾斜面
５ｂ　下り勾配傾斜面
６　　台座
７　　容器本体
７ａ　口部
７ｂ　雄ねじ部
７ｃ　キャップ
７ｄ　吊り手
８　　雌ねじ部
８ａ　空間
９　　空気孔
９ａ　上面側の口部
９ｂ　溝側の口部
１０　　ホース
１１　　載置台
１２　　流動体貯留トレイ
１３　　ローラー
【図１】
2004075167.tif 000003
【図２】
2004075167.tif 000004
【図３】
2004075167.tif 000005
【図４】
2004075167.tif 000006
【図５】
2004075167.tif 000007
【図６】
2004075167.tif 000008
【図７】
2004075167.tif 000009